(57)【要約】【課題】  シーリングテープを簡単に除去できる雄ねじ部付き部品を提供する。【解決手段】  配管工事のテスト用プラグ１Ａには、雄ねじ部４の軸長の基端から先端にかけての外周面に、雄ねじ部４のねじ山と交差する方向（雄ねじ部４の軸方向）に直線的に延びた溝３０が刻設されている。溝３０の溝幅は雄ねじ部４の外側からカッター等の刃物やカミソリの刃の刃先２２を挿入して溝３０の長手方向に移動可能な０．２ｍｍ乃至３．０ｍｍ程度に形成されており、溝底は雄ねじ部４の谷と同じ深さかそれ以上の深さに形成されている。なお、溝３０の基端側は雄ねじ部４の基端から頭部３の方向へ２乃至６ｍｍ程度延長されている。【選択図】      図３
2019044885.tif 000002
【特許請求の範囲】
【請求項１】
雄ねじ部にシーリングテープが巻装される雄ねじ部付き部品であって、
雄ねじ部の外周面に、雄ねじ部のねじ山と交差する方向に延びた溝を形成し、
溝に刃または刃物の刃先を挿入し、長手方向へ移動可能としたこと、
を特徴とする雄ねじ部付き部品。
【請求項２】
溝は、雄ねじ部の軸方向へ延びていること、
を特徴とする請求項１記載の雄ねじ部付き部品。
【請求項３】
溝底を雄ねじ部の谷より浅くしたこと、
を特徴とする請求項１または２記載の雄ねじ部付き部品。
【請求項４】
溝底を雄ねじ部の谷と同じか、それ以上の深さとしたこと、
を特徴とする請求項１または２記載の雄ねじ部付き部品。
【請求項５】
溝は、雄ねじ部の軸長の先端を含めて形成されていること、
を特徴とする請求項１乃至４の内のいずれか一項記載の雄ねじ部付き部品。
【請求項６】
溝は、雄ねじ部の軸長の基端を含めて形成されていること、
を特徴とする請求項１乃至４の内のいずれか一項記載の雄ねじ部付き部品。
【請求項７】
溝は、雄ねじ部の全長にわたり設けられていること、
を特徴ととする請求項１乃４の内のいずれか一項記載の雄ねじ部付き部品。
【請求項８】
雄ねじ部は筒状本体の下端部に形成されており、
溝の上端側は、雄ねじ部の基端から更に上方に延設されていること、
を特徴とする請求項６または７記載の雄ねじ部付き部品。
【請求項９】
雄ねじ部の外周面を、軸長方向に複数に分割した各分割領域毎に、ねじ山と交差する方向に延びた溝を形成し、
隣接する分割領域間で溝を離間させたこと、
を特徴とする請求項１乃至４の内のいずれか一項記載の雄ねじ部付き部品。
【請求項１０】
雄ねじ部の先端寄りの分割領域の溝は、雄ねじ部の先端を含めて形成されていること、
を特徴とする請求項９記載の雄ねじ部付き部品。
【請求項１１】
雄ねじ部の基端寄りの分割領域の溝は、雄ねじ部の基端を含めて形成されていること、
を特徴とする請求項９記載の雄ねじ部付き部品。
【請求項１２】
各分割領域の溝は、分割領域の全長にわたり形成されていること、
を特徴とする請求項９記載の雄ねじ部付き部品。
【請求項１３】
雄ねじ部は筒状本体の下端部に形成されており、
雄ねじ部の基端寄りの分割領域の溝の上端側は、雄ねじ部の基端から更に上方に延設されていること、
を特徴とする請求項９記載の雄ねじ部付き部品。
【請求項１４】
雄ねじ部付き部品の内、シーリングテープの巻装されない箇所に、溝の位置を示す目印を設けたこと、
を特徴とする請求項１乃至１３の内のいずれか一項記載の雄ねじ部付き部品。
【発明の詳細な説明】
【技術分野】
【０００１】
本発明は雄ねじ部付き部品に係り、とくに使用時に雄ねじ部に被覆材を巻装するようにした雄ねじ部付き部品に関する。
【背景技術】
【０００２】
従来、台所、洗面所、トイレ、お風呂などへ給水、給湯を行うための配管系の工事では、工事後、水圧試験を行って配管系に漏れが生じないか試験が行われる。この際、配管系のまだ流し台等の設備が未接続な接続口はテスト用プラグを螺合して閉塞するようにしている。図１（１）に示す如くテスト用プラグ１は、筒状本体２の上端部に六角形の頭部３、下端部に雄ねじ部４を備えた構成を有し、内部に頭部３の上面に開口した穴５が穿設されており、穴５の下端部に六角レンチ穴６が形成されている。例えば図１（３）に示す給水配管系１０の接続口１１の雌ねじ部１２を閉塞したい場合、図１（２）に示す如くテスト用プラグ１の雄ねじ部４の全長にフッ素樹脂製等のシーリングテープ２０を巻装し、雄ねじ部４の先端部分を接続口１１の雌ねじ部１２に噛み合わせて少し螺合したのち、スパナ、モンキーレンチ、六角レンチ（図示せず）等の工具を用いて頭部３または筒状本体２を回転させ、雄ねじ部４を雌ねじ部１２にしっかり螺合させる（図１（３）、（４）参照）。シーリングテープ２０は雄ねじ部４と雌ねじ部１２の間の隙間を埋めて密閉性を確保し、水の漏洩を防止するためのものである。
【０００３】
テスト用プラグ１は使用後、接続口１１から取り外して再利用可能である。再利用にあたっては、雄ねじ部４に巻装されていたシーリングテープ２０をきれいに除去し、新しいシーリングテープ２０を巻き直すようにしている。
従来、シーリングテープ２０の除去は、市販のカッター２１を用いて雄ねじ部４の谷に密着したシーリングテープ２０をカッター２１の刃先２２で刻んで少しずつ剥がすようにしており、時間の掛かる面倒な作業となっていた。
【発明の概要】
【発明が解決しようとする課題】
【０００４】
本発明は上記した従来技術の問題に鑑みなされたもので、シーリングテープを簡単に除去できる雄ねじ部付き部品を提供することを、その目的とする。
【課題を解決するための手段】
【０００５】
請求項１記載の発明では、
雄ねじ部にシーリングテープが巻装される雄ねじ部付き部品あって、
雄ねじ部の外周面に、雄ねじ部のねじ山と交差する方向に延びた溝を形成し、
溝に刃または刃物の刃先を挿入し、長手方向へ移動可能としたこと、
を特徴としている。
請求項２記載の発明では、
溝は、雄ねじ部の軸方向へ延びていること、
を特徴としている。
請求項３記載の発明では、
溝底を雄ねじ部の谷より浅くしたこと、
を特徴としている。
請求項４記載の発明では、
溝底を雄ねじ部の谷と同じか、それ以上の深さとしたこと、
を特徴としている。
請求項５記載の発明では、
溝は、雄ねじ部の軸長の先端を含めて形成されていること、
を特徴としている。
請求項６記載の発明では、
溝は、雄ねじ部の軸長の基端を含めて形成されていること、
を特徴としている。
請求項７記載の発明では、
溝は、雄ねじ部の全長にわたり設けられていること、
を特徴としている。
請求項８記載の発明では、
雄ねじ部は筒状本体の下端部に形成されており、
溝の上端側は、雄ねじ部の基端から更に上方に延設されていること、
を特徴としている。
請求項９記載の発明では、
雄ねじ部の外周面を、軸長方向に複数に分割した各分割領域毎に、ねじ山と交差する方向に延びた溝を形成し、
隣接する分割領域間で溝を離間させたこと、
を特徴としている。
請求項１０記載の発明では、
雄ねじ部の先端寄りの分割領域の溝は、雄ねじ部の先端を含めて形成されていること、
を特徴としている。
請求項１１記載の発明では、
雄ねじ部の基端寄りの分割領域の溝は、雄ねじ部の基端を含めて形成されていること、
を特徴としている。
請求項１２記載の発明では、
各分割領域の溝は、分割領域の全長にわたり形成されていること、
を特徴としている。
請求項１３記載の発明では、
雄ねじ部は筒状本体の下端部に形成されており、
雄ねじ部の基端寄りの分割領域の溝の上端側は、雄ねじ部の基端から更に上方に延設されていること、
を特徴としている。
請求項１４記載の発明では、
雄ねじ部付き部品の内、シーリングテープの巻装されない箇所に、溝の位置を示す目印を設けたこと、
を特徴としている。
【発明の効果】
【０００６】
本発明によれば、雄ねじ部に巻装されたシーリングテープに対し、シーリングテープの上から溝に刃または刃物の刃先を入れて溝の長手方向へ移動しながらシーリングテープを切除することにより、シ−リングテープを簡単にはがすことができる。
【図面の簡単な説明】
【０００７】
【図１】従来の配管工事のテスト用プラグの使用方法の説明図である。
【図２】従来のシーリングテープ除去方法の問題点の説明図である。
【図３】本発明の一実施例に係る配管工事のテスト用プラグの正面図である（実施例１）。
【図４】図３の配管工事のテスト用プラグの底面図である。
【図５】図３の配管工事のテスト用プラグの断面図である。
【図６】図３の配管工事のテスト用プラグの使用方法の説明図である。
【図７】シーリングテープ除去方法の説明図である。
【図８】シーリングテープ除去方法の説明図である。
【図９】図３の配管工事のテスト用プラグの各種の変形例を示す説明図である。
【図１０】図３の配管工事のテスト用プラグの他の変形例を示す説明図であり、（１）は正面図、（２）は背面図、（３）は底面図である。
【図１１】図１０の配管工事のテスト用プラグの変形例を示す背面図である。
【図１２】図３の配管工事のテスト用プラグの他の変形例を示す説明図であり、（１）は正面図、（２）は背面図、（３）は底面図である。
【図１３】図１２の配管工事のテスト用プラグの変形例を示す正面図である。
【図１４】図３の配管工事のテスト用プラグの他の変形例を示す説明図である。
【発明を実施するための最良の形態】
【０００８】
以下、本発明の最良の形態を実施例に基づき説明する。
【実施例１】
【０００９】
図３は本発明の一実施例に係る配管工事のテスト用プラグを示す正面図、図４は底面図、図５は断面図であり、以下これらの図を参照して本発明の実施例を説明する。
図３乃至図５において、配管工事のテスト用プラグ（以下、「テスト用プラグ」と略す）１Ａは全体が鋼、アルミ、プラスチック等の材質で形成されており、筒状本体２の上端部に六角形の頭部３、下端部に雄ねじ部４を備えた構成を有し、内部に頭部３の上面側に開口した穴５が穿設されており、穴５の下端部に六角レンチ穴６が形成されている。この実施例では、雄ねじ部４の山径は筒状本体２の外径より小さい例を示す。
【００１０】
雄ねじ部４の軸長の基端から先端（図３の下端）にかけての外周面に、雄ねじ部４のねじ山と交差する方向（ここでは、一例として雄ねじ部４の軸方向とする）に直線的に延びた溝３０が刻設されている。溝３０の溝幅は雄ねじ部４の外側からカッター等の刃物やカミソリの刃等の刃先を挿入して溝３０の長手方向に移動可能な０．２ｍｍ乃至３．０ｍｍ程度に形成されており、溝底は雄ねじ部４の谷と同じ深さかそれ以上の深さに形成されている。なお、溝３０の基端側（図３の上端側）は雄ねじ部４の基端から更に上方（頭部３の方向）へ２乃至６ｍｍ程度延長されている。
【００１１】
筒状本体２の側面で周方向に見て溝３０と同じ位置に、溝３０の位置を示す直線状の目印４０が設けられている。目印４０は筒状本体２の表面に印刷、溝切り、突設等により形成されている。また、雄ねじ部４の先端面７にも、周方向に見て溝３０と同じ位置に、溝３０の位置を示す直線状の目印４１が設けられている（図４の参照）。この目印４１も印刷、溝切り、突設等により形成されている。これらの目印４０、４１は幅が溝３０と同一に形成されており、溝３０の幅の位置も判別可能になっている。
【００１２】
次に上記した実施例の使用方法を図６乃至図８を参照して説明する。
例えば図６（２）に示す給水配管系１０の水圧試験等のため、接続口１１の雌ねじ部１２を閉塞したい場合、テスト用プラグ１Ａの雄ねじ部４の先端から基端までフッ素樹脂製等のシーリングテープ２０を巻装しておく（図６（１）参照）。そして、雄ねじ部４の先端部分を接続口１１の雌ねじ部１２に噛み合わせて少し螺合したのち、スパナ、モンキーレンチ、六角レンチ（図示せず）等の工具を用いて頭部３または筒状本体２を回転させて雄ねじ部４を雌ねじ部１２にしっかり螺合させる（図６（３）参照）。シーリングテープ２０により、溝３０を含めて雄ねじ部４と雌ねじ部１２の間の隙間が埋められて密閉性が確保されるため、接続口１１からの水の漏洩が防止される。
【００１３】
テスト用プラグ１Ａは使用後、接続口１１から取り外して再利用可能である。再利用にあたっては、雄ねじ部４に巻装されていたシーリングテープ２０を例えばカッター２１の刃先２２で切除しながらきれいに除去する。この際、目印４０、４１を手掛かりにして溝３０の周方向の位置や溝３０の溝幅を確認し、刃先２２を溝３０の先端側から溝３０の中に入れて溝３０の長手方向へ移動したり（図７（１））乃至（３）参照）、刃先２２を溝３０の基端側から溝３０の中に入れて溝３０の長手方向へ移動したり（図８（１）参照）、刃先２２を溝３０の長手方向の途中からシーリングテープ２０に刺し通しながら溝３０の中に入れて溝３０の長手方向へ移動したりすることにより（図８（２）参照）、雄ねじ部４の先端側から基端側まで軸方向にシーリングテープ２０を容易かつ迅速に切断することができ、あとは刃先２２や指を使ってシーリングテープ２０を雄ねじ部４から剥がすことで簡単に取り除くことができる。
溝３０の基端側（図３の上端側）が雄ねじ部４の基端から更に上方（頭部３の方向）へ延設されていることから、この延長部分に刃先２２を入れて溝３０の先端方向へ移動することにより、シーリングテープ２０の内、雄ねじ部４の基端寄りの箇所も容易に切断及び除去可能である（図８（１）参照）。
なお、シーリングテープ２０の切断は、カミソリの刃等の刃先で行なっても良い。
【００１４】
この実施例によれば、テスト用プラグ１Ａの雄ねじ部４の先端から基端まで軸方向に延びた溝３０を形成したので、例えば刃物２１の刃先２２を溝３０の先端側から溝３０の中に入れて溝３０の長手方向へ移動したり、刃先２２を溝３０の基端側から溝３０の中に入れて溝３０の長手方向へ移動したり、刃先２２を溝３０の長手方向の途中からシーリングテープ２０の中に刺し通して長手方向へ移動したりすることにより、雄ねじ部４の先端側から基端側まで軸方向にシーリングテープ２０を容易に切断及び除去できる。また、溝３０の溝底を雄ねじ部４の谷と同じ深さかそれ以上の深さに形成したので、シーリングテープ２０の切断を迅速に行なえる。溝３０の基端側（図３の上端側）が雄ねじ部４の基端から更に上方（頭部３の方向）へ延設されていることから、この延長部分に刃先２２を入れて溝３０の先端方向へ移動することにより、シーリングテープ２０の内、雄ねじ部４の基端寄りの箇所も容易に切断及び除去可能である。また、溝３０の位置を示す目印４０、４１を設けたので、これらの目印４０、４１を手掛かりにして溝３０の周方向の位置や溝３０の幅を容易に確認でき、溝３０の位置を探したり、溝３０の幅を確認したりする手間が省ける。
【００１５】
なお、上記した実施例では、また、溝の溝底を雄ねじ部の谷と同じ深さかそれ以上の深さに形成したが、本発明は何らこれに限定されず、溝の溝底を雄ねじ部の谷より浅く形成してもシーリングテープの切断及び除去を簡単に出来る。溝の溝底を雄ねじ部の谷より浅く形成することで、密閉性が下がるのを最低限に抑えることができる。
また、上記した実施例では、溝の基端側を雄ねじ部の基端から更に上方へ延長した場合を例に挙げたが、延長せず、図９（１）のテスト用プラグ１Ｂに示す如く、雄ネジ部４の先端から基端まで軸方向に延ばした溝３０Ｂを形成しても良い。また、溝を雄ねじ部の軸方向全長に設けず、一部に設けるようにしても良い。具体的には、図９（２）に示すテスト用プラグ１Ｃの如く、雄ねじ部４の先端から雄ねじ部４の途中まで軸方向に延ばした溝３０Ｃを形成したり、図９（３）に示すテスト用プラグ１Ｄの如く、雄ねじ部４の基端から雄ねじ部４の途中まで軸方向に延ばした溝３０Ｄを形成したり、図９（４）に示すテスト用プラグ１Ｅの如く、雄ねじ部４の上方から雄ねじ部４の途中まで軸方向に延設した溝３０Ｅとしたり、図９（５）のテスト用プラグ１Ｆの如く、雄ねじ部４の途中に軸方向に延設した溝３０Ｆとしても良い。
【００１６】
また、上記した実施例では、雄ねじ部に溝を１つ形成する場合を例に挙げたが、雄ねじ部を軸方向に複数の領域に分割し、各分割領域毎にねじ山と交差する方向に延びた溝を個別に形成するようにしても良い。具体的には、図１０に示すテスト用プラグ１Ｇの如く、雄ねじ部４を先端側と基端側の２つの分割領域４１、４２に分割し、先端側の分割領域４１に先端または先端近くから、分割境界４３または分割境界４３近くまたは分割境界４３を基端側に数ｍｍ程度超えた位置まで、軸方向に延びた溝３１ａを形成し、基端側の分割領域４２に基端または基端近くから、分割境界４３または分割境界４３近くまたは分割境界４３を先端側に数ｍｍ程度超えた位置まで、軸方向に延びた溝３１ｂを形成するようにする。但し、溝３１ａと３１ｂは隣接する分割領域間でひと繋がりとならないように、周方向に１８０度離間させる。筒状本体２の側面と雄ねじ部４の先端面７には、周方向に見て溝３１ａ、３１ｂと同じ位置に、溝３１ａ、３１ｂの周方向の位置と溝幅を示す直線状の目印４０ａと４０ｂ、４１ａと４１ｂを設けておく。なお、図１１に示す如く、分割領域４２の溝３１ｂ’の基端寄りは雄ねじ部４の基端から上方へ２乃至６ｍｍ程度延長しても良い。
【００１７】
或いは、図１２に示すテスト用プラグ１Ｈの如く、雄ねじ部４を３つの分割領域５１、５２、５３に分割し、先端側の分割領域５１に先端または先端近くから、分割境界５４または分割境界５４近くまたは分割境界５４を基端側に数ｍｍ程度超えた位置まで、軸方向に延びた溝３２ａを形成し、中間の分割領域５２の分割境界５４または分割境界５４近くから、分割領域５３との分割境界５５または分割境界５５近くまたは分割境界５５を基端側に数ｍｍ程度超えた位置まで、軸方向に延びた溝３２ｂを形成する。更に、基端側の分割領域５３に雄ねじ部４の基端または基端近くから、分割境界５５または分割境界５５近くまたは分割境界５５を先端側に２乃至６ｍｍ程度超えた位置まで、軸方向に延びた溝３２ｃを形成するようにする。
溝３２ａと３２ｂは隣接する分割領域間でひと繋がりとならないように、周方向に１８０度離間させ、溝３２ｂと３２ｃも隣接する分割領域間でひと繋がりとならないように、周方向に１８０度離間させる（なお、溝３２ａ乃至３２ｃを周方向に１２０度ずつ離間させても良い）。筒状本体２の側面と雄ねじ部４の先端面７には、周方向に見て溝３２ａと３２ｃ、３２ｂと同じ位置に、溝３２ａと３２ｃ、３２ｂの周方向の位置と溝幅を示す直線状の目印４０ａと４０ｂ、４１ａと４１ｂを設けておく。なお、図１３に示す如く、分割領域５３の溝３２ｃ’の基端寄りは雄ねじ部４の基端から上方へ２乃至６ｍｍ程度延長しても良い。
【００１８】
また、上記した実施例及び変形例では溝を雄ねじ部の軸方向に延ばして形成したが、例えば図１４に示すテスト用プラグ１Ｉの如く、軸方向に対し傾斜した方向に延設した溝３０Ｉとしても良く、要はねじ山と交差する方向に延ばすようにすれば良い。図１４の場合、目印４０’は筒状本体２の側面に、溝３０Ｉの延長方向に設ければよい。
また、本発明は、テスト用プラグに限定されず、フレキニップルなど、使用時に雄ねじ部に被覆材を巻装するようにした他の雄ねじ部付き部品であっても良い。
【産業上の利用可能性】
【００１９】
本発明は、給水系、給湯系、ガス供給系などの配管系に用いられる使用時に雄ねじ部に被覆材を巻装するようにしたテスト用プラグ、フレキニップルを初めとして、配管系や配管系以外で用いられる各種の雄ねじ部付き部品であって、使用時に雄ねじ部に被覆材を巻装するようにした部品に適用できる。
【符号の説明】
【００２０】
１Ａ  配管工事のテスト用プラグ
４  雄ねじ部
１０  給水配管系
１１  接続口
１２  雌ねじ部
２０  シーリングテープ
２１  カッター
２２  刃先
３０  溝
４０、４１  目印
【図１】
2019044885.tif 000003
【図２】
2019044885.tif 000004
【図３】
2019044885.tif 000005
【図４】
2019044885.tif 000006
【図５】
2019044885.tif 000007
【図６】
2019044885.tif 000008
【図７】
2019044885.tif 000009
【図８】
2019044885.tif 000010
【図９】
2019044885.tif 000011
【図１０】
2019044885.tif 000012
【図１１】
2019044885.tif 000013
【図１２】
2019044885.tif 000014
【図１３】
2019044885.tif 000015
【図１４】
2019044885.tif 000016